(57)【要約】【課題】処理に関する情報の検出箇所に対する作業性を向上できるようにする。【解決手段】画像形成装置１０は、画像形成部３２及び排紙部５０を含む複数の処理部、第１操作部６１、第２操作部６２、複数のセンサ、距離情報記憶部及び制御部７０を備える。距離情報記憶部は、複数のセンサと操作部６１，６２とのそれぞれの間の距離情報を記憶する。制御部は、距離情報記憶部に記憶された距離情報に基づいて複数のセンサのそれぞれに対して複数の操作部６１，６２のうち最も近い操作部を特定し、センサによる検出情報に基づく表示情報を、検出情報を検出したセンサに最も近い操作部に表示させる。【選択図】図１
2014107617.tif 000002
【特許請求の範囲】
【請求項１】
用紙に画像形成処理を行う画像形成部、及び画像形成処理済みの用紙が排出される排紙部を含む複数の処理部と、
それぞれが種々の情報を表示する複数の表示部と、
前記複数の処理部のそれぞれにおける処理に関する情報を検出する複数の検出部と、
前記複数の検出部と前記複数の表示部とのそれぞれの間の距離情報を記憶する距離情報記憶部と、
前記距離情報記憶部に記憶された距離情報に基づいて前記複数の検出部のそれぞれに対して前記複数の表示部のうち最も近い表示部を特定し、前記複数の検出部による検出情報に基づく表示情報を、前記検出情報を検出した検出部に最も近い表示部に表示させる制御部と、を備える画像形成装置。
【請求項２】
前記画像形成部に対する動作指示の入力操作を受け付ける入力操作部をさらに備え、
前記制御部は、前記検出情報に基づいて前記入力操作部からの入力操作以外の手動操作を行う必要があると判定した場合に、前記手動操作の手順を表示させる、請求項１に記載の画像形成装置。
【請求項３】
前記複数の処理部のそれぞれに設けられ、前記複数の処理部のそれぞれの位置情報を取得するための位置情報取得部をさらに備える、請求項１又は２に記載の画像形成装置。
【請求項４】
前記複数の検出部のそれぞれと前記複数の検出部のそれぞれに最も近い表示部との対応関係が予め前記距離情報記憶部に記憶される、請求項１又は２に記載の画像形成装置。
【発明の詳細な説明】
【技術分野】
【０００１】
この発明は、用紙に画像形成処理を行う画像形成部、画像形成部へ用紙を供給する給紙部、及び画像形成処理済みの用紙が排出される排紙部を含む複数の処理部を備える画像形成装置に関する。
【背景技術】
【０００２】
従来から、画像形成装置の中には、印刷ジョブの進行状況やエラー表示等の種々の情報を表示する表示部、及び画像形成処理条件の設定や処理実行指示等の動作指示の入力操作を受け付ける入力操作部を含む、本体操作部を備えたものがある。また、画像形成装置の中には、画像形成部、給紙部、及び排紙部等の複数の処理部、並びに、複数の処理部のそれぞれにおける処理に関する情報を検出する複数の検出部を備えたものがある。本体操作部は、画像形成処理を開始させる際に動作指示の入力操作等を行いやすいように、画像形成部を内蔵する装置本体の上部に配置されている。
【０００３】
本体操作部への表示情報を認識するためには本体操作部を確認する必要がある一方、検出部による検出情報に基づいて実際の状況を認識するためにはその情報の検出箇所を確認する必要がある。このため、本体操作部と検出箇所との間の距離が長くなるほど作業性が低下する。
【０００４】
近年、画像形成装置の中には、多機能化にともなって大型化したものがある。このような大型の画像形成装置では、本体操作部と検出箇所との間の距離が特に長くなることがあり、本体操作部を確認する際と検出箇所を確認する際とでユーザは立ち位置を変える必要が生じ、非常に作業性が低下する場合がある。
【０００５】
そこで、本体操作部に含まれる表示部の他に、排紙部に含まれる排紙トレイの近傍に液晶ディスプレイ等で構成された排紙情報表示部をさらに備える画像形成装置が知られている（例えば、特許文献１参照。）。この従来の画像形成装置では、同一の外部装置からの排出指示による複数の排紙トレイへの排出紙がある場合に、これらが同一の外部装置からの排出紙であることが、排紙情報表示部に表示される。
【先行技術文献】
【特許文献】
【０００６】
【特許文献１】特開２０００−２６３８８９号公報
【発明の概要】
【発明が解決しようとする課題】
【０００７】
しかし、従来の画像形成装置では、複数の処理部のいずれかにおいて用紙詰まり等の処理に関する情報が検出された場合、この検出情報に基づく表示情報は、本体操作部に表示されると考えられる。このため、本体操作部から離れた箇所で処理に関する情報が検出された場合に、処理に関する情報の検出箇所に対する作業性が低下する。例えば、排紙部において用紙詰まりが発生し、本体操作部に用紙詰まりの発生箇所の情報が表示された場合、ユーザは、本体操作部と排紙部とを確認ために視線を大きく移さなければならないことや、立ち位置を変えなければならないことがあり、処理に関する情報の検出箇所に対する作業性が低下する。
【０００８】
この発明の目的は、処理に関する情報の検出箇所に対する作業性を向上できる画像形成装置を提供することにある。
【課題を解決するための手段】
【０００９】
この発明の画像形成装置は、複数の処理部、複数の表示部、複数の検出部、距離情報記憶部、及び制御部を備える。複数の処理部は、用紙に画像形成処理を行う画像形成部、及び画像形成処理済みの用紙が排出される排紙部を含む。複数の表示部は、それぞれが種々の情報を表示する。複数の検出部は、複数の処理部のそれぞれにおける処理に関する情報を検出する。距離情報記憶部は、複数の検出部と複数の表示部とのそれぞれの間の距離情報を記憶する。制御部は、距離情報記憶部に記憶された距離情報に基づいて複数の検出部のそれぞれに対して複数の表示部のうち最も近い表示部を特定し、複数の検出部による検出情報に基づく表示情報を、検出情報を検出した検出部に最も近い表示部に表示させる。
【００１０】
この構成では、処理に関する情報が検出された場合に、その検出情報を検出した検出部に最も近い表示部に、検出情報に基づく表示情報が表示されるので、表示情報が表示される表示部と、処理に関する情報の検出箇所との距離が、短くなる。このため、立ち位置を変えずかつ視線を移す距離を小さくして、表示情報の確認と検出箇所の確認とを行うことができる。よって、表示情報を確認しつつ検出箇所に対する作業を行うことが容易になる。
【００１１】
上述の構成において、画像形成部に対する動作指示の入力操作を受け付ける入力操作部をさらに備え、制御部は、検出情報に基づいて入力操作部からの入力操作以外の手動操作を行う必要があると判定した場合に、手動操作の手順を表示させるように構成することができる。
【００１２】
この構成では、手動操作を行う必要がある検出箇所から最も近い表示部に、手動操作の手順が表示されるので、表示部に表示された手順を確認しつつ手動操作を容易かつ正確に行うことができる。
【００１３】
また、複数の処理部のそれぞれに設けられ、複数の処理部のそれぞれの位置情報を取得するための位置情報取得部をさらに備えるように構成することができる。
【００１４】
この構成では、位置情報取得部を用いて取得された複数の処理部のそれぞれの位置情報が距離情報記憶部に記憶され、制御部によって検出部のそれぞれに最も近い表示部が特定される。このため、処理部の追加や削減によって複数の検出部と複数の表示部とのそれぞれの間の距離情報が変更された場合でも、位置情報取得部を用いて新たに距離情報が取得されるので、検出情報を検出した検出部に最も近い表示部を正確に特定することができる。
【００１５】
さらに、複数の検出部のそれぞれと複数の検出部のそれぞれに最も近い表示部との対応関係が予め距離情報記憶部に記憶されるように構成することができる。
【００１６】
この構成では、複数の検出部のそれぞれと複数の検出部のそれぞれに最も近い表示部との対応関係を取得するためのセンサ等の部材を必要としないので、部品点数の増加を抑制できる。
【発明の効果】
【００１７】
この発明によれば、処理に関する情報の検出箇所に対する作業性を向上することができる。
【図面の簡単な説明】
【００１８】
【図１】この発明の実施形態に係る画像形成装置の外観構成を示す正面上方側からの斜視図である。
【図２】画像形成装置の概略構成を示すブロック図である。
【図３】画像形成装置のセンサの構成を示すブロック図である。
【図４】センサと各センサの検出情報に基づく表示情報が表示される操作部との対応関係の一例を示す図である。
【図５】制御部の処理手順の一部を示すフローチャートである。
【図６】他の実施形態に係る画像形成装置の正面図である。
【図７】さらに他の実施形態に係る画像形成装置の正面図である。
【発明を実施するための形態】
【００１９】
図１に示すように、この発明の実施形態に係る画像形成装置１０は、大容量給紙部２０、画像形成装置本体３０、用紙後処理部４０、排紙部５０、第１操作部６１、及び第２操作部６２を備えている。
【００２０】
大容量給紙部２０、画像形成装置本体３０、用紙後処理部４０、及び排紙部５０は、水平面に沿った一方向に横並びに配置されている。大容量給紙部２０、画像形成装置本体３０、用紙後処理部４０、及び排紙部５０は、用紙搬送方向９１においてこの順序で配置されている。即ち、画像形成装置本体３０と排紙部５０との間に、用紙後処理部４０が配置されている。この実施形態では、大容量給紙部２０、画像形成装置本体３０、用紙後処理部４０、及び排紙部５０は、互いに異なる筐体で構成されている。
【００２１】
大容量給紙部２０は、複数の給紙トレイ２１，２２，２３及び手差しトレイ２４を有している。給紙トレイ２１〜２３のそれぞれは、画像形成用の多数の用紙を収容可能に構成されている。大容量給紙部２０は、給紙トレイ２１〜２３及び手差しトレイ２４のうち選択されたいずれかのトレイから、用紙を１枚ずつ画像形成装置本体３０へ供給する。
【００２２】
画像形成装置本体３０は、画像形成部３２、及び画像読取部３３を備えている。
【００２３】
画像読取部３３は、画像形成部３２の上に配置され、原稿の画像を読み取って画像データを生成する。画像読取部３３は、スキャナ部３３１及び自動原稿搬送装置３３２を含む。自動原稿搬送装置３３２は、原稿載置トレイに収容された原稿を、所定の画像読取位置を経由するように１枚ずつ搬送し、原稿排紙トレイへ排出する。スキャナ部３３１は、画像読取位置を搬送される原稿の画像を読み取る。
【００２４】
第１操作部６１は、画像形成装置本体３０の上部に設置されている。より具体的な例として、第１操作部６１は、画像形成装置本体３０の上面から大容量給紙部２０側の斜め上方へ延びるアームの先に支持され、表示画面を正面側へ向けて配置されている。第１操作部６１は、画像形成処理条件の設定や処理実行指示等の動作指示の入力操作の受け付け、及び、種々の情報の表示を行うことができる。例えば、第１操作部６１に表示される情報として、単一の用紙又は連続する複数の用紙に画像形成処理を行う印刷ジョブの進行状況に関する情報や、エラー表示が挙げられる。
【００２５】
画像形成部３２は、本体給紙部３１、及び画像形成ステーション３４を有している。
【００２６】
本体給紙部３１は、画像形成用の用紙を収容可能に構成されている。画像形成部３２では、大容量給紙部２０又は本体給紙部３１のいずれかから選択的に、用紙が１枚ずつ画像形成ステーション３４へ供給される。
【００２７】
画像形成ステーション３４は、外部から入力した画像データ又は画像読取部３３から入力した画像データに基づいて、用紙に画像形成処理を行う。一例として、画像形成ステーション３４は、電子写真方式の画像形成処理を行う。画像形成処理済みの用紙は、用紙後処理部４０へ搬送される。
【００２８】
用紙後処理部４０は、少なくとも１個の用紙後処理装置を含む。この実施形態では、用紙後処理部４０は、インサータユニット４１、紙折りユニット４２、及びサドルユニット４３を含む。一例として、インサータユニット４１、紙折りユニット４２、及びサドルユニット４３は、用紙搬送方向９１に沿って、この順序で横並びに配置されている。
【００２９】
インサータユニット４１は、画像形成用の用紙とは別の挿入用の用紙を、挿入用紙供給ユニット４１１に予め収容している。インサータユニット４１は、画像形成装置本体３０から紙折りユニット４２等の他の用紙後処理装置への用紙搬送路の途中で、画像形成装置本体３０から搬送されてきた画像形成処理済みの用紙と用紙との間に、挿入用の用紙を挿入することができる。
【００３０】
紙折りユニット４２は、画像形成処理済みの用紙に折り目を付けることができる。サドルユニット４３は、画像形成処理済みの用紙束を製本処理することができる。
【００３１】
インサータユニット４１、紙折りユニット４２、及びサドルユニット４３は、画像形成処理条件の設定によって、全てが使用されない場合があり、又はいずれか１以上のユニットが選択的に使用される場合がある。用紙は、用紙後処理部４０を経由した後、排紙部５０へ搬送される。
【００３２】
排紙部５０は、排紙トレイ５１を有している。この実施形態では、排紙部５０は、ステープルユニット、パンチユニット、及びフィニッシャをさらに有している。
【００３３】
ステープルユニットは、複数の用紙をステープル針で留めるステープル処理を行うことができる。パンチユニットは、用紙の所定位置にパンチ孔を開けるパンチ処理を行うことができる。フィニッシャは、複数の用紙の両端部を整合する整合処理を行うことができる。画像形成処理済みの用紙は、排紙トレイ５１へ排出されて収容される。
【００３４】
第２操作部６２は、排紙部５０の近傍に設置される。この実施形態では、第２操作部６２は、排紙部５０の上部に設置されている。第２操作部６２は、種々の入力操作の受け付け、及び印刷ジョブの進行状況に関する情報やエラー表示等の種々の情報の表示を行うことができる。
【００３５】
この実施形態に係る画像形成装置１０において、大容量給紙部２０、画像形成部３２、画像読取部３３、用紙後処理部４０、及び排紙部５０は、それぞれ処理部を構成している。
【００３６】
図２に示すように、画像形成装置１０は、制御部７０、画像処理部７１、記憶部７２、送受信部７３、及び距離情報記憶部７４をさらに備えている。
【００３７】
送受信部７３には、１以上の外部のＰＣ端末装置８１，８２，８３がネットワーク接続されている。ＰＣ端末装置８１〜８３から入力した印刷ジョブは、送受信部７３を介して記憶部７２に退避される。送受信部７３は、印刷ジョブが入力する入力部を構成している。また、各種のメッセージが、送受信部７３を介して各ＰＣ端末装置８１〜８３へ送信される。
【００３８】
画像処理部７１は、画像読取部３３に含まれ、画像読取部３３において原稿の画像内容に応じて出力されたレッド，グリーン，ブルーのＲＧＢアナログ画像信号をデジタル処理し、シアン、マゼンタ、イエロー、及びブラックのＣＭＹＫデジタル信号に変換して画像データとして出力する。
【００３９】
記憶部７２は、制御プログラム、及び画像データ等を記憶する。距離情報記憶部７４は、後述する複数のセンサと、複数の操作部６１，６２とのそれぞれの間の距離情報を記憶する。
【００４０】
第１操作部６１は、第１表示部６１１及び第１入力操作部６１２を含む。一例として、第１操作部６１は、液晶タッチパネルで構成される。第１入力操作部６１２は、画像形成処理条件の設定や処理実行指示等の動作指示の入力操作を受け付ける。第１表示部６１１は、印刷ジョブの進行状況に関する情報やエラー表示等の種々の情報の表示を行う。
【００４１】
制御部７０は、印刷ジョブが入力すると、記憶部７２に画像データを一旦退避させ、大容量給紙部２０又は本体給紙部３１から用紙を画像形成ステーション３４へ供給し、第１操作部６１から入力された動作指示に従い、記憶部７２から画像データを読み出して画像形成ステーション３４へ出力し、画像形成ステーション３４において画像データに基づく画像形成処理を行わせる。また、制御部７０は、必要に応じて用紙後処理部４０に後処理を行わせた後、排紙部５０の排紙トレイ５１へ用紙を排出させる。
【００４２】
第２操作部６２は、第２表示部６２１及び第２入力操作部６２２を含む。一例として、第２操作部６２は、液晶タッチパネルで構成される。第２入力操作部６２２は、画像形成処理条件の設定や処理実行指示等の動作指示の入力操作を受け付ける。第２表示部６２１は、印刷ジョブの進行状況に関する情報やエラー表示等の種々の情報の表示を行う。
【００４３】
図３に示すように、画像形成装置１０は、複数の処理部のそれぞれに、複数のセンサを備えている。
【００４４】
大容量給紙部２０は、位置情報取得部１１１、ドアセンサ１２１、搬送路センサ１２２、及び用紙残量センサ１２３を備えている。
【００４５】
画像読取部３３は、位置情報取得部１１２、ドアセンサ１２４、搬送路センサ１２５、及び原稿排紙トレイセンサ１２６を備えている。
【００４６】
画像形成部３２は、位置情報取得部１１３、ドアセンサ１２７、搬送路センサ１２８、用紙残量センサ１２９、トナーセンサ１３０、及び廃トナーセンサ１３１を備えている。
【００４７】
用紙後処理部４０は、位置情報取得部１１４、ドアセンサ１３２、及び搬送路センサ１３３を備えている。
【００４８】
排紙部５０は、位置情報取得部１１５、ドアセンサ１３４、搬送路センサ１３５、排紙トレイセンサ１３６、針残量センサ１３７、及びパンチ屑センサ１３８を備えている。
【００４９】
ドアセンサ１２１，１２４，１２７，１３２，１３４は、それぞれの処理部における図示しない開閉体の開放状態を検出する。搬送路センサ１２２，１２５，１２８，１３３，１３５は、それぞれの処理部に設けられた用紙搬送路の所定位置において用紙の有無を検出し、これによって用紙搬送路における用紙の搬送障害が検出される。
【００５０】
用紙残量センサ１２３は、給紙トレイ２１，２２，２３の用紙切れを検出する。用紙残量センサ１２９は、本体給紙部３１の用紙切れを検出する。原稿排紙トレイセンサ１２６は、自動原稿搬送装置３３２に備えられた原稿排紙トレイにおける原稿の収容可能量オーバーを検出する。排紙トレイセンサ１３６は、排紙トレイ５１における用紙の収容可能量オーバーを検出する。
【００５１】
トナーセンサ１３０は、画像形成ステーション３４において画像形成処理用に収容されたトナーのトナー切れを検出する。廃トナーセンサ１３１は、画像形成ステーション３４における画像形成処理において用紙に転写されずに回収された廃トナーの収容可能量オーバーを検出する。針残量センサ１３４は、排紙部５０に備えられたステープルユニットにおけるステープル針の残量切れを検出する。パンチ屑センサ１３５は、排紙部５０に備えられたパンチユニットにおいてパンチ処理によって発生したパンチ屑の収容量オーバーを検出する。
【００５２】
センサ１２１〜１３８は、大容量給紙部２０、画像形成部３２、画像読取部３３、用紙後処理部４０、及び排紙部５０のそれぞれにおける処理に関する情報を検出する検出部をそれぞれ構成している。
【００５３】
制御部７０は、位置判断ユニット７１及びセンサ制御ユニット７２を含んでいる。
【００５４】
一例として、位置情報取得部１１１〜１１５は、ＧＰＳ（GlobalPositioning System）受信機で構成される。位置情報取得部１１１〜１１５が取得した位置情報は、距離情報記憶部７４に記憶される。第１操作部６１及び第２操作部６２の位置情報は、予め距離情報記憶部７４に記憶されている。
【００５５】
位置判断ユニット７１は、位置情報取得部１１１〜１１５が取得した位置情報と第１操作部６１及び第２操作部６２の位置情報とに基づいて、複数の処理部に備えられた複数のセンサ１２１〜１３８と、第１操作部６１及び第２操作部６２とのそれぞれの間の距離情報を取得し、距離情報記憶部７４に記憶させる。
【００５６】
この実施形態では、位置判断ユニット７１は、処理部毎に、大容量給紙部２０、画像形成部３２、画像読取部３３、用紙後処理部４０、及び排紙部５０のそれぞれに備えられるセンサと、第１操作部６１及び第２操作部６２とのそれぞれの間の距離情報を取得する。これによって、処理部毎に、複数のセンサ１２１〜１３８のそれぞれに対して複数の操作部６１，６２のうち最も近い操作部が特定される。
【００５７】
例えば、図４に示すように、大容量給紙部２０に備えられたセンサ１２１〜１２３、画像読取部３３に備えられたセンサ１２４〜１２６、画像形成部３２に備えられたセンサ１２７〜１３１のいずれかがエラー状態を検出した場合は、第１操作部６１に、そのエラー状態に応じたエラー表示情報が表示される。一方、用紙後処理部４０に備えられたセンサ１３２，１３３、排紙部５０に備えられたセンサ１３４〜１３８のいずれかがエラー状態を検出した場合は、第２操作部６２に、そのエラー状態に応じたエラー表示情報が表示される。
【００５８】
なお、処理部のそれぞれに備えられる位置情報取得部と、第１操作部６１及び第２操作部６２とのそれぞれの間の距離に関する情報を第１距離情報とし、処理部のそれぞれにおける位置情報取得部とセンサとの間のそれぞれの距離情報を第２距離情報とすると、第２距離情報が距離情報記憶部７４に予め記憶され、第１距離情報が位置情報取得部を用いて取得されることで、第１距離情報と第２距離情報とに基づいて、センサ１２１〜１３８毎に、複数のセンサ１２１〜１３８のそれぞれに最も近い表示部を特定することができる。
【００５９】
具体的には、例えば、大容量給紙部２０に備えられる位置情報取得部１１１と、第１操作部６１及び第２操作部６２とのそれぞれの間の距離に関する情報を第１距離情報とし、大容量給紙部２０において位置情報取得部１１１とセンサ１２１〜１２３との間のそれぞれの距離情報を第２距離情報とすると、第２距離情報が距離情報記憶部７４に予め記憶され、第１距離情報が位置情報取得部１１１を用いて取得されることで、第１距離情報と第２距離情報とに基づいて、センサ１２１〜１２３毎に、複数のセンサ１２１〜１２３のそれぞれに最も近い表示部を特定することができる。他の処理部即ち画像形成部３２、画像読取部３３、用紙後処理部４０、及び排紙部５０のそれぞれについても同様に、センサ毎に、複数のセンサのそれぞれに最も近い表示部を特定することができる。
【００６０】
これによって、同一の処理部内に備えられたセンサの検出情報に基づくエラー表示情報を、互いに異なる操作部へ表示させることもできる。このため、大型の処理部に備えられたセンサについてのエラー表示情報であっても、より正確に近い方の操作部へ表示させることができる。
【００６１】
位置情報取得部１１１〜１１５はＧＰＳ受信機であることに限定されない。例えば、画像形成部３２に対する、大容量給紙部２０、画像読取部３３、用紙後処理部４０、及び排紙部５０の位置情報を、例えば次のようにして取得するように構成することもできる。即ち、位置情報取得部１１１，１１２，１１４，１１５が発信機であり、位置情報取得部１１３が１個以上の受信機で構成される。位置情報取得部１１３が複数個の受信機で構成されることが好ましい。例えば、３個の受信機で構成される。複数の受信機は、互いに離間した所定箇所に設置される。発信機及び受信機は、３次元位置センサを構成する。発信機は、受信機に位置を特定させるための信号を発する。一例として、発信機は、超音波信号を発信する。発信機から発せられた信号は、受信機によって受信される。位置判断ユニット７１は、それぞれの受信機が信号を受信した時間差に基づいて、画像形成部３２に対する、大容量給紙部２０、画像読取部３３、用紙後処理部４０、及び排紙部５０のそれぞれの位置を検出し、画像形成部３２と、大容量給紙部２０、画像読取部３３、用紙後処理部４０、及び排紙部５０のそれぞれとの間の距離を取得する。
【００６２】
例えば、センサ１２１〜１３８によって検出されるエラー状態として、開閉体の開放状態、用紙搬送路における用紙の搬送障害、用紙切れ、原稿排紙トレイにおける原稿の収容可能量オーバー、排紙トレイ５１における用紙の収容可能量オーバー、トナー切れ、廃トナーの収容可能量オーバー、ステープル針の残量切れ、パンチ屑の収容量オーバーが挙げられる。
【００６３】
例えば、第１操作部６１又は第２操作部６２に表示されるエラー表示情報として、操作部６１，６２からの入力操作以外の手動操作を行う必要があると判定された場合における当該手動操作の手順が挙げられる。具体的には、例えば、センサ１２１〜１３８による検出情報に基づいてエラー状態を解除するための手動操作の手順が挙げられる。
【００６４】
次に、制御部７０の処理手順の一例について説明する。
【００６５】
図５に示すように、制御部７０は、印刷ジョブの入力を待機し（Ｓ１）、印刷ジョブの入力があると、印刷ジョブを実行する（Ｓ２）。
【００６６】
制御部７０は、センサ１２１〜１３８が処理に関する情報を検出したか否かの判定、例えば、センサ１２１〜１３８による検出情報に基づいて操作部６１，６２からの入力操作以外の手動操作を行う必要があるような状態が発生したか否かの判定を行う（Ｓ３）。操作部６１，６２からの入力操作以外の手動操作を行う必要があるような状態として、エラー状態が挙げられる。制御部７０は、エラー状態が発生したか否かを判定することに代えて、給紙トレイ１２１〜２３において用紙の残量が所定量よりも少なくなり用紙を補給することが好ましい状態、トナー残量が所定量よりも少なくなりトナーを補給することが好ましい状態等、エラー状態に至るよりも所定量前の状態になったか否かを判定するように構成することもできる。
【００６７】
制御部７０は、Ｓ３において例えばエラー状態が発生したと判定すると、エラー状態の検出箇所を認識し（Ｓ４）、エラー状態の検出箇所に最も近い表示部を特定する（Ｓ５）。
【００６８】
制御部７０は、エラー状態の検出箇所に最も近い表示部に、エラー状態を解除するための手動操作の手順を表示させる（Ｓ６）。例えば、画像形成部３２の用紙搬送路における用紙詰まりの発生が検出された場合、第１操作部６１に、用紙詰まりを解消するための手動操作の手順が表示される。エラー状態を解除するための手動操作の手順は、エラー表示情報の一例である。
【００６９】
制御部７０は、Ｓ３の処理においてＮＯとなる状態、例えば画像形成装置１０がエラー状態から復帰した状態になったか否かの判定を行い（Ｓ７）、否定される場合はＳ３の処理へ戻り、肯定される場合は印刷ジョブが終了したか否かの判定を行って（Ｓ８）、印刷ジョブが終了するまでＳ２からＳ８の処理を繰り返す。
【００７０】
画像形成装置１０によれば、エラー状態等の処理に関する情報が検出された場合に、その検出情報を検出したセンサに最も近い操作部に、検出情報に基づく表示情報が表示されるので、表示情報が表示される操作部と、処理に関する情報の検出箇所との距離が、短くなる。このため、立ち位置を変えずかつ視線を移す距離を小さくして、表示情報の確認と検出箇所の確認とを行うことができる。よって、表示情報を確認しつつ検出箇所に対する作業を行うことが容易になる。したがって、処理に関する情報の検出箇所に対する作業性を向上することができる。
【００７１】
また、手動操作を行う必要がある検出箇所から最も近い操作部に、手動操作の手順を表示させることで、操作部に表示された手順を確認しつつ手動操作を容易かつ正確に行うことができる。
【００７２】
制御部７０は、センサ１２１〜１３８による検出情報に基づいて複数の処理部のうち少なくとも１個の処理部がエラー状態であると判定した場合に、そのエラー状態である処理部を前記エラー状態から復帰させるための手動操作の手順を表示させるように構成される。このため、画像形成装置１０をエラー状態から復帰させる手動操作が容易になる。
【００７３】
さらに、複数の処理部のそれぞれに、複数の処理部のそれぞれの位置情報を取得するための位置情報取得部１１１〜１１５を備えることで、位置情報取得部１１１〜１１５を用いて取得された複数の処理部のそれぞれの位置情報が距離情報記憶部７４に記憶され、制御部７０によってセンサ１２１〜１３８のそれぞれに最も近い操作部が特定される。このため、処理部の追加や削減によって複数のセンサ１２１〜１３８と複数の操作部６１，６２とのそれぞれの間の距離情報が変更された場合でも、位置情報取得部１１１〜１１５を用いて新たに距離情報が取得されるので、検出情報を検出したセンサ１２１〜１３８に最も近い操作部を正確に特定することができる。このように、位置情報取得部は、複数の処理部のそれぞれに配置されていることが好ましい。
【００７４】
位置情報取得部は、複数の処理部のそれぞれに１個以上ずつ配置されていることが好ましい。
【００７５】
なお、複数のセンサ１２１〜１３８のそれぞれと複数のセンサ１２１〜１３８のそれぞれに最も近い操作部との対応関係が予め距離情報記憶部７４に記憶されるように構成することもできる。複数のセンサ１２１〜１３８のそれぞれと複数のセンサ１２１〜１３８のそれぞれに最も近い操作部との対応関係を取得するための位置情報取得部等の部材を必要としないので、部品点数の増加を抑制できる。
【００７６】
また、画像形成装置本体３０に設置された第１操作部６１以外の操作部を、入力操作部を備えない表示装置で代替した場合にも、処理に関する情報の検出箇所に対する作業性を向上できるという、本発明の効果を奏することができる。
【００７７】
さらに、画像形成装置１０に備えられる表示部６１１，６２１の数は、２個に限定されず、３個以上の複数である場合にも、処理に関する情報の検出箇所に対する作業性を向上できるという本発明の効果を奏することができる。
【００７８】
さらに、複数の表示部は、互いに異なる処理部に設置されることが好ましい。
【００７９】
図６に示すように、画像形成装置本体３０と排紙部５０との間に配置される用紙後処理部４０の用紙搬送方向９１に沿う方向の距離が長い画像形成装置１１ほど、処理に関する情報の検出箇所に対する作業性を向上できるという本発明の効果がより顕著となる。
【００８０】
図７に示すように、大容量給紙部２０及び用紙後処理部４０を備えず、画像形成装置本体３０に排紙トレイ５１が設置された画像形成装置１２に、本発明を適用することもできる。画像形成装置１２では、図示しない排紙ローラ、及び排紙トレイ５１が排紙部５０に含まれる。第２操作部６２は、排紙ローラ及び排紙トレイ５１の近傍に設置される。一例として、画像形成装置１２では、第２操作部６２は、排紙トレイ５１の正面側側面に、表示画面を正面側斜め上方へ向けて取り付けられる。
【００８１】
画像形成装置１２によれば、排紙トレイ５１と第２操作部６２とが隣接配置され、第２操作部６２にエラー状態を解除するための手動操作の手順が表示されるので、処理に関する情報の検出箇所に対する作業性を向上できる。
【００８２】
また、第２操作部６２は、排紙部５０に着脱自在に設置され、排紙部５０から離脱した状態において制御部７０との間で無線情報通信を行うように構成することもできる。この構成によれば、ユーザの所望の場所において、エラー状態を解除するための手動操作の手順が表示されるので、処理に関する情報の検出箇所に対する作業性をより向上できる。一例として、第２操作部６２は、スマートフォン等のようにタブレット型端末装置で構成することができる。
【００８３】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００８４】
１０，１１，１２  画像形成装置
２０  大容量給紙部（処理部）
３０  画像形成装置本体
３２  画像形成部（処理部）
３３  画像読取部（処理部）
４０  用紙後処理部（処理部）
５０  排紙部（処理部）
６１  第１操作部
６１１  第１表示部（表示部）
６２  第２操作部
６２１  第２表示部（表示部）
７０  制御部
７４  距離情報記憶部
１１１〜１１５  位置情報取得部
１２１〜１３８  センサ（検出部）
【図１】
2014107617.tif 000003
【図２】
2014107617.tif 000004
【図３】
2014107617.tif 000005
【図４】
2014107617.tif 000006
【図５】
2014107617.tif 000007
【図６】
2014107617.tif 000008
【図７】
2014107617.tif 000009